(57)【要約】【課題】  フリーラン中の永久磁石モータの従来の再始動方法には、安価なＣＰＵを用いると過電圧や過電流といった異常が発生して、滑らかな始動ができなかった問題があったが、本発明ではこの問題を解消できる再始動方法を提供する。【解決手段】  電圧指令演算手段４とＰＷＭ演算手段５と電流検出手段１０４と電圧検出手段３とを有し、電圧指令演算手段３は予め与えられた電圧指令と周波数指令に基づいて電圧検出手段３で検出した直流中間電圧検出値と電流検出手段０４で検出した出力電流値により電圧指令値を演算しするインバータ制御装置による永久磁石モータ２の再始動方法において、フリーラン状態にある永久磁石モータ２を再始動させるとき、電圧指令演算手段４で前記電圧指令値を０にするようにした。【選択図】図１
2006325341.tif 000002
【特許請求の範囲】
【請求項１】
三相交流をパワー素子により直流電圧に変換するコンバータ部と該コンバータ部で変換した電圧を平滑する平滑コンデンサと該平滑コンデンサによって平滑された直流中間電圧をパルス幅変調（ＰＷＭ）制御方式により任意の周波数と電圧の交流に変換するインバータ部と該インバータ部から出力される出力電流値を検出するための電流検出手段を有して永久磁石モータに電力を供給するインバータ装置を制御するためのインバータ制御装置であって、電圧指令演算手段とＰＷＭ演算手段と直流電圧検出手段とを有し、前記電圧指令演算手段は予め与えられた電圧指令と周波数指令に基づいて前記電圧検出手段で検出した直流中間電圧検出値と前記電流検出手段で検出した出力電流値により電圧指令値を演算し、前記ＰＷＭ演算手段は前記電圧指令演算手段の演算結果と前記周波数指令が入力されてインバータ部のスイッチングパターンを決定するインバータ制御装置による永久磁石モータの再始動方法において、
フリーラン状態にある前記永久磁石モータを再始動させるとき、前記電圧指令演算手段で前記電圧指令値を０にすることを特徴とするインバータ制御装置による永久磁石モータの再始動方法。
【請求項２】
前記電流検出手段にて検出した永久磁石モータに流れる電流が、前記電圧指令演算手段にて所定値以上であれば再始動を中断することを特徴とする請求項１記載の永久磁石モータの再始動方法。
【請求項３】
前記直流電圧検出手段にて検出したインバータの直流電圧が、前記電圧指令演算手段にて所定値以上であれば再始動を中断することを特徴とする請求項１記載の永久磁石モータの再始動方法。
【請求項４】
検出した前記出力電流値が所定値以下になった場合、永久磁石モータが所定速度まで下がったと推定し、出力周波数を所定値に設定し始動することを特徴とする請求項１記載の永久磁石モータの再始動方法。
【請求項５】
三相交流をパワー素子により直流電圧に変換するコンバータ部と該コンバータ部で変換した電圧を平滑する平滑コンデンサと該平滑コンデンサによって平滑された直流中間電圧をパルス幅変調（ＰＷＭ）制御方式により任意の周波数と電圧の交流に変換するインバータ部と該インバータ部から出力される出力電流値を検出するための電流検出手段を有して永久磁石モータに電力を供給するインバータ装置において、
電圧指令演算手段とＰＷＭ演算手段と直流電圧検出手段とを有し、前記電圧指令演算手段は予め与えられた電圧指令と周波数指令に基づいて前記電圧検出手段で検出した直流中間電圧検出値と前記電流検出手段で検出した出力電流値により電圧指令値を演算し、前記ＰＷＭ演算手段は前記電圧指令演算手段の演算結果と前記周波数指令が入力されてインバータ部のスイッチングパターンを決定するインバータ制御装置を有し、
フリーラン状態にある前記永久磁石モータを再始動させるとき、前記電圧指令演算手段で前記電圧指令値を０にすることを特徴とするインバータ制御装置。
【請求項６】
前記電流検出手段にて検出した永久磁石モータに流れる電流が、前記電圧指令演算手段にて所定値以上であれば再始動を中断することを特徴とする請求項５記載のインバータ装置。
【請求項７】
前記直流電圧検出手段にて検出したインバータの直流電圧が、前記電圧指令演算手段にて所定値以上であれば再始動を中断することを特徴とする請求項５記載のインバータ装置。
【請求項８】
検出した前記出力電流値が所定値以下になった場合、モータが所定速度まで下がったと推定し、出力周波数を所定値に設定し、始動することを特徴とする請求項５記載のインバータ装置。
【発明の詳細な説明】
【技術分野】
【０００１】
本発明は、フリーラン中の永久磁石モータを再始動することを特徴とする永久磁石モータの制御方法及び装置に関する。
【背景技術】
【０００２】
従来よりフリーラン中の永久磁石モータを始動させることは行われていた。
ここで言う「フリーラン」とは、モータが停電等により無制御状態で慣性により惰走している状態をさしている。
従来技術の永久磁石モータの始動方法では、零電流制御により、永久磁石モータの誘起電圧の大きさ及び位相及び速度を推定することにより、磁極の位置を推定し、インバータの出力周波数及び位相及び電圧の大きさを設定し始動するものが知られている（例えば、特許文献１参照）。
【特許文献１】特開２００１−１６１０９４号公報
【０００３】
特許文献１記載の復電後の再始動を行う交流電動機の制御方法によれば、電流指令信号と電力変換器の出力電流検出信号の偏差信号に基づいて、電力変換器の出力電流を制御する電流制御部を備えた電力変換器において、交流電動機がフリーラン状態にある場合に、交流電動機の電流をゼロにするように強制的に電流指令信号をゼロとして電流制御し、この時の電流制御部出力を用いて演算した出力電圧指令信号を基に交流電動機の残留電圧の大きさと位相および角速度を求めるようにしている。これにより、確かに迅速かつスムーズに再運転できるようになった。
【発明の開示】
【発明が解決しようとする課題】
【０００４】
ところが、上記始動方法の演算を安価なＣＰＵで実現するには負荷率が高すぎて電流制御周期が長くなるため、高速でフリーランしている永久磁石モータに対しては、周波数応答が足りず、過電圧や過電流といった異常が発生し、滑らかな始動ができないという問題があった。
本発明は、このような課題を解決するためになされたもので、演算速度の遅い安価なＣＰＵを用いていても過電圧・過電流異常を発生することなしに、高速でフリーランしている永久磁石モータを再始動することができる制御方法及びインバータ装置を提供することを目的としている。
【課題を解決するための手段】
【０００５】
上記問題を解決するため、本発明は、次のようにしたのである。
請求項１に記載の発明は、インバータ制御装置による永久磁石モータの再始動方法に係り、三相交流をパワー素子により直流電圧に変換するコンバータ部と該コンバータ部で変換した電圧を平滑する平滑コンデンサと該平滑コンデンサによって平滑された直流中間電圧をパルス幅変調（ＰＷＭ）制御方式により任意の周波数と電圧の交流に変換するインバータ部と該インバータ部から出力される出力電流値を検出するための電流検出手段を有して永久磁石モータに電力を供給するインバータ装置を制御するためのインバータ制御装置であって、電圧指令演算手段とＰＷＭ演算手段と直流電圧検出手段とを有し、前記電圧指令演算手段は予め与えられた電圧指令と周波数指令に基づいて前記電圧検出手段で検出した直流中間電圧検出値と前記電流検出手段で検出した出力電流値により電圧指令値を演算し、前記ＰＷＭ演算手段は前記電圧指令演算手段の演算結果と前記周波数指令が入力されてインバータ部のスイッチングパターンを決定するインバータ制御装置による永久磁石モータの再始動方法において、フリーラン状態にある前記永久磁石モータを再始動させるとき、前記電圧指令演算手段で前記電圧指令値を０にすることを特徴としている。
請求項２に記載の発明は、請求項１記載の永久磁石モータの再始動方法において、前記電圧指令演算手段にて検出した永久磁石モータに流れる電流が、前記電圧指令演算手段にて所定値以上であれば再始動を中断することを特徴としている。
請求項３に記載の発明は、請求項１記載の永久磁石モータの再始動方法において、前記直流電圧検出手段にて検出したインバータの直流電圧が、前記電圧指令演算手段にて所定値以上であれば再始動を中断することを特徴としている。
請求項４に記載の発明は、請求項１記載の永久磁石モータの再始動方法において、検出した前記出力電流値が所定値以下になった場合、永久磁石モータが所定速度まで下がったと推定し、出力周波数を所定値に設定し始動することを特徴としている。
【０００６】
請求項５に記載の発明は、インバータ制御装置に係り、三相交流をパワー素子により直流電圧に変換するコンバータ部と該コンバータ部で変換した電圧を平滑する平滑コンデンサと該平滑コンデンサによって平滑された直流中間電圧をパルス幅変調（ＰＷＭ）制御方式により任意の周波数と電圧の交流に変換するインバータ部と該インバータ部から出力される出力電流値を検出するための電流検出手段を有して永久磁石モータに電力を供給するインバータ装置において、電圧指令演算手段とＰＷＭ演算手段と直流電圧検出手段とを有し、前記電圧指令演算手段は予め与えられた電圧指令と周波数指令に基づいて前記電圧検出手段で検出した直流中間電圧検出値と前記電流検出手段で検出した出力電流値により電圧指令値を演算し、前記ＰＷＭ演算手段は前記電圧指令演算手段の演算結果と前記周波数指令が入力されてインバータ部のスイッチングパターンを決定するインバータ制御装置を有し、
フリーラン状態にある前記永久磁石モータを再始動させるとき、前記電圧指令演算手段で前記電圧指令値を０にすることを特徴としている。。
請求項６に記載の発明は、請求項５記載のインバータ装置において、前記電圧指令演算手段にて検出した永久磁石モータに流れる電流が、前記電圧指令演算手段にて所定値以上であれば再始動を中断することを特徴としている。
請求項７に記載の発明は、請求項５記載のインバータ装置において、前記直流電圧検出手段にて検出したインバータの直流電圧が、前記電圧指令演算手段にて所定値以上であれば再始動を中断することを特徴としている。
請求項８に記載の発明は、請求項５記載のインバータ装置において、検出した前記出力電流値が所定値以下になった場合、永久磁石モータが所定速度まで下がったと推定し、出力周波数を所定値に設定し始動することを特徴としている。
【発明の効果】
【０００７】
請求項１に記載の発明によると、電圧指令演算手段で電圧指令を０にすることにより永久磁石モータを所定の速度まで減速することができ、運転継続することができる。
また、請求項２に記載の発明によると、電圧指令演算手段で電圧指令を０にした時のインバータ出力電流値が所定値以上になると電圧指令演算手段で電圧指令を０にすることを中止することで、過電流異常発生を防ぐことができる。
また、請求項３に記載の発明によると、電圧指令演算手段で電圧指令を０にした時のインバータの直流母線電圧が所定値以上になると電圧指令演算手段で電圧指令を０にすることを中止することで、過電圧異常発生を防ぐことができる。
また、請求項４に記載の発明によると、検出した前記出力電流値が所定値以下になった場合、永久磁石モータが所定速度まで下がったと推定し、出力周波数を所定値に設定し始動することにより、スムーズな再始動運転ができる。
請求項５記載の発明によると、永久磁石モータを所定の速度まで減速することができ、運転継続することができる。
また、請求項６記載の発明によると、電圧指令演算手段で電圧指令を０にした時のインバータ出力電流値が所定値以上になると電圧指令演算手段で電圧指令を０にすることを中止することで、過電流異常発生を防ぐことができる。
また、請求項７記載の発明によると、電圧指令演算手段で電圧指令を０にした時のインバータの直流母線電圧が所定値以上になると電圧指令演算手段で電圧指令を０にすることを中止することで、過電圧異常発生を防ぐことができる。
また、請求項８記載の発明によると、検出した前記出力電流値が所定値以下になった場合、永久磁石モータが所定速度まで下がったと推定し、出力周波数を所定値に設定し始動することにより、スムーズな再始動運転ができる。
【発明を実施するための最良の形態】
【０００８】
以下、本発明の方法の具体的実施例について、図に基づいて説明する。
図１は本発明における永久磁石モータの再始動方法の実施形態の構成を示すブロック図、図２はフリーラン中の永久磁石モータを再始動する為の電圧指令演算手段の動作を示すフローチャートである。
図１において、本実施形態における永久磁石モータの再始動方法を搭載したインバータ装置はコンバータ部１０１、コンデンサ１０２、インバータ部１０３、電流検出手段１０４からなるインバータ装置１、永久磁石モータ２、電圧検出手段３、電圧指令演算手段４、ＰＷＭ演算手段５を備えている。
インバータ装置１は、三相交流をパワー素子により直流電圧に変換するコンバータ部１０１と変換した電圧を平滑するための平滑コンデンサ１０２と直流中間電圧をＰＷＭ（Pulse Width Modulation：パルス幅変調）制御方式により任意の周波数と電圧の交流に変換するインバータ部１０３と出力電流値を検出するための電流検出手段１０４から構成され、永久磁石モータ２に電力を供給する。
電圧検出手段３は前記平滑コンデンサ１０２の電圧である直流中間電圧検出値Ｖｐｎを検出する。
電圧指令演算手段４は予め与えられた電圧指令Ｖｒｅｆと周波数指令ｆｒｅｆに基づいて前記電圧検出手段３で検出した直流中間電圧検出値Ｖｐｎと前記電流検出手段１０４で検出した出力電流値Ｉａｃにより電圧指令値を可変し出力する。
ＰＷＭ演算手段５は、前記電圧指令演算手段４から出力される前記電圧指令と出力周波数指令ｆｒｅｆから前記インバータ部１０３のスイッチングパターンを決定する。
【０００９】
図２は永久磁石モータがフリーランしている状態から再始動するまでの処理手順を示すフローチャートである。以下、図２を用いて本発明の方法を順を追って説明する。
フリーランから再始動までの処理はステップＳ１から開始する。
ステップＳ２ではインバータの運転準備時間として所定時間の待ち時間を設け、ステップＳ３で電圧指令を０、周波数指令を０にすることで、５０％デューティーでＰ側３相ＯＮ、Ｎ側３相ＯＮさせるＰＷＭ信号を出力することにより、永久磁石モータの３相を短絡させ永久磁石モータが減速する。
ステップＳ４では前記電流検出手段１０４から検出された出力電流Ｉａｃと出力電流警報レベルＩａｃ１を比較し、出力電流Ｉａｃが出力電流警報レベルＩａｃ１を越えた場合、インバータが過電流状態となる可能性があるため、一旦運転を停止するようにステップ３に戻る。そして再度運転停止状態でステップＳ２の待ち時間経過後、電圧指令０、周波数指令０で運転再開する。
一方、出力電流Ｉａｃが出力電流警報レベルＩａｃ１以下の場合、ステップＳ５に分岐する。
ステップＳ５では前記平滑コンデンサ１０２の電圧である直流中間電圧検出値Ｖｐｎと直流中間電圧警報レベルＶｐｎ１を比較し、直流中間電圧検出値Ｖｐｎが直流中間電圧警報レベルＶｐｎ１を越えた場合、インバータが過電圧状態となる可能性があるため、一旦運転を停止するようにステップ３に戻る。
そして再度運転停止状態でステップＳ２の待ち時間経過後、電圧指令０、周波数指令０で運転再開する。
一方、直流中間電圧検出値Ｖｐｎが直流中間電圧異常レベルＶｐｎ１以下の場合、ステップＳ６に分岐する。
ステップＳ６では出力電流Ｉａｃと出力電流レベルＩａｃ２を比較し、出力電流Ｉａｃが出力電流レベルＩａｃ２を越えている場合、前記永久磁石モータが減速中と判断し、ステップ４に戻り電圧指令０の状態を維持する。
一方、出力電流Ｉａｃが出力電流レベルＩａｃ２未満になると、永久磁石モータが所定周波数ｆｒｅｆ１まで減速したと判断し、零電圧指令を止め周波数指令ｆｒｅｆにｆｒｅｆ１を設定し、通常運転を開始するのである。
以上のステップにより、インバータ装置が異常で停止することなく、フリーラン中の永久磁石モータを再始動することができる。
【００１０】
本発明によれば、電圧指令演算手段で電圧指令を０にすることにより、安価なＣＰＵを用いていても高速でフリーランしている永久磁石モータを再始動することができるようになる。
【図面の簡単な説明】
【００１１】
【図１】本発明の方法を適用するインバータ装置の実施例のブロック図である。
【図２】本発明の方法の処理手順を示すフローチャートである。
【符号の説明】
【００１２】
１  インバータ
２  永久磁石モータ
３  電圧検出手段
４  電圧指令演算手段
５  ＰＷＭ演算手段
１０１  コンバータ部
１０２  コンデンサ
１０３  インバータ部
１０４  電流検出手段
【図１】
2006325341.tif 000003
【図２】
2006325341.tif 000004